(57)【要約】【課題】揮発性有機溶剤を含む薬液等を保管する場合に有機溶剤の蒸気を外部に安全に排気可能であると共に、揮発性有機溶剤を含まない薬液等を保管する場合の保管効率の低下を防止可能な保管庫ユニットを提供する。【解決手段】異なる方向を向いて配置される複数の外壁を有すると共に内部に収容空間が設けられた保管庫２と、保管庫２に対して着脱可能とされた排気ユニット３とを備え、保管庫２は、保管庫２の上部に配置されると共にいずれかの外壁に設けられた吸気孔２ａ６と、保管庫２の下部に配置されると共に吸気孔２ａ６が設けられた外壁と異なる外壁に設けられた排気孔２ａ７とを有し、排気ユニット３は、排気孔２ａ７に接続可能に保管庫２に対して着脱可能とされている。【選択図】図３
2020069102.tif 000002
【特許請求の範囲】
【請求項１】
異なる方向を向いて配置される複数の外壁を有すると共に内部に収容空間が設けられた保管庫と、
前記保管庫に対して着脱可能とされた排気ユニットとを備え、
前記保管庫は、前記保管庫の上部に配置されると共にいずれかの前記外壁に設けられた吸気孔と、前記保管庫の下部に配置されると共に前記吸気孔が設けられた前記外壁と異なる前記外壁に設けられた排気孔とを有し、
前記排気ユニットは、前記排気孔に接続可能に前記保管庫に対して着脱可能とされている
ことを特徴とする保管庫ユニット。
【請求項２】
前記保管庫は、
前記外壁として少なくとも側壁及び背壁を有すると共に正面側が開口された中空の筐体と、
前記筐体に対してスライド可能に収容されると共に前記筐体の開口を開閉可能とする抽斗あるいは前記筐体に接続され前記筐体の開口を開閉可能な扉と
を備え、
前記背壁に前記排気孔が設けられている
ことを特徴とする請求項１記載の保管庫ユニット。
【請求項３】
前記筐体は、内部に上下方向に配列された複数の載置板を備え、
上下方向にて、最下部の前記載置板よりも下方に少なくとも前記排気孔の一部領域が位置するように前記排気孔が配置されている
ことを特徴とする請求項２記載の保管庫ユニット。
【請求項４】
前記保管庫は、
前記外壁として少なくとも側壁及び背壁を有すると共に正面側が開口された中空の筐体と、
前記筐体に対してスライド可能に収容されると共に前記筐体の開口を開閉可能とする抽斗あるいは前記筐体に接続され前記筐体の開口を開閉可能な扉と
を備え、
前記側壁に前記吸気孔が設けられている
ことを特徴とする請求項１〜３いずれか一項記載の保管庫ユニット。
【請求項５】
前記筐体は、内部に上下方向に配列された複数の載置板を備え、
上下方向にて、最上部の前記載置板よりも上方に少なくとも前記吸気孔の一部領域が位置するように前記吸気孔が配置されている
ことを特徴とする請求項４記載の保管庫ユニット。
【請求項６】
前記保管庫は、前記排気ユニットが取付可能な取付部を有することを特徴とする請求項１〜５いずれか一項に記載の保管庫ユニット。
【請求項７】
前記排気ユニットは、
前記排気孔に接続される開口部が設けられた中空の箱部と、
前記箱部に設けられると共に排気ダクトが接続可能な接続部と
を備えることを特徴とする請求項１〜６いずれか一項に記載の保管庫ユニット。
【請求項８】
前記箱部の上面と前記保管庫の上面とが同一高さに配置されていることを特徴とする請求項７記載の保管庫ユニット。
【発明の詳細な説明】
【技術分野】
【０００１】
本発明は、保管庫ユニットに関するものである。
【背景技術】
【０００２】
有機溶剤を含む薬液等は、例えば貯蔵用の薬液瓶に入れられた状態で、薬液瓶ごと保管庫で保管されるのが一般的である。特に揮発性の有機溶剤を含む薬液では、保管中に薬液瓶中の有機溶剤が揮発して、有害な有機溶剤の蒸気が発生する。このような蒸発ガスを安全に排気するため、例えば特許文献１には、内部の気体を保管庫から排出可能な換気ダクトを備える冷蔵薬品キャビネットが開示されている。
【先行技術文献】
【特許文献】
【０００３】
【特許文献１】特開２０１３−２４８３９１号公報
【発明の概要】
【発明が解決しようとする課題】
【０００４】
ところで、保管庫で保管される薬液等は、揮発性有機溶剤を含むものに限られない。このため、有害な蒸気を発生する有機溶剤を含まない薬液等を保管する場合には、換気ダクトを使用する必要性がない。しかしながら、特許文献１に開示された冷蔵薬品キャビネットでは、保管庫に対して換気ダクトが一体化された構成とされている。このため、保管温度において蒸気をほとんど発生しない薬液等を保管する場合には、換気ダクトの分だけデッドスペースが生じることになり、保管庫における単位面積における保管数が減少することなる。
【０００５】
また、揮発性有機溶剤を含まない薬液等を保管する保管庫には、気体を安全に排気する機能を有していない。このため、揮発性有機溶剤を含む薬液を保管することとなった場合には、それまで使用していた保管庫を使用することができず、新たに特許文献１に開示されたような保管庫を設置する必要が生じる。
【０００６】
本発明は、上述する問題点に鑑みてなされたもので、揮発性有機溶剤を含む薬液等を保管する場合に有機溶剤の蒸気を外部に安全に排気可能であると共に、揮発性有機溶剤を含まない薬液等を保管する場合の保管効率の低下を防止可能な保管庫ユニットを提供することを目的とする。
【課題を解決するための手段】
【０００７】
本発明は、上記課題を解決するための手段として、以下の構成を採用する。
【０００８】
第１の発明は、異なる方向を向いて配置される複数の外壁を有すると共に内部に収容空間が設けられた保管庫と、上記保管庫に対して着脱可能とされた排気ユニットとを備え、上記保管庫が、上記保管庫の上部に配置されると共にいずれかの上記外壁に設けられた吸気孔と、上記保管庫の下部に配置されると共に上記吸気孔が設けられた上記外壁と異なる上記外壁に設けられた排気孔とを有し、上記排気ユニットが、上記排気孔に接続可能に上記保管庫に対して着脱可能とされているという構成を採用する。
【０００９】
本発明によれば、保管庫の上部に吸気孔が設けられると共に下部に排気孔が設けられ、さらに吸気孔と排気孔とが保管庫の異なる外壁に設けられている。このため、保管庫の内部に、上部から下部に向かい、さらに保管庫の中央部を通過する空気の流れを形成することができる。また、保管庫に対して着脱可能とされた排気ユニットが備えられている。このため、本発明によれば、上述の保管庫の内部の空気の流れに乗せて、空気よりも比重が大きな有機溶剤の蒸気を保管庫の外部に効率的に排出し、さらに保管庫から排出された有機溶剤の蒸気を排気ユニットで予め定められた経路で案内することができる。したがって、本発明によれば、揮発性有機溶剤を含む薬液等を保管する場合に有機溶剤の蒸気を外部に効率的かつ安全に排気することができる。さらに、本発明によれば、排気ユニットが保管庫に対して着脱可能とされている。このため、揮発性有機溶剤を含まない薬液等を保管する場合には、排気ユニットを取り外して保管庫のみを使用することができ、排気ユニットによってデッドスペースが生じることを防止できる。したがって、本発明によれば、揮発性有機溶剤を含む薬液等を保管する場合に蒸気を外部に安全に排気可能であると共に、揮発性有機溶剤を含まない薬液等を保管する場合の保管効率の低下を防止することが可能となる。
【００１０】
第２の発明は、上記第１の発明において、上記保管庫が、上記外壁として少なくとも側壁及び背壁を有すると共に正面側が開口された中空の筐体と、上記筐体に対してスライド可能に収容されると共に上記筐体の開口を開閉可能とする抽斗あるいは上記筐体に接続され上記筐体の開口を開閉可能な扉とを備え、上記背壁に上記排気孔が設けられているという構成を採用する。
【００１１】
本発明によれば、筐体の開口が設けられている筐体の正面側を回避した位置に排気孔が設けられている。このため、使用頻度が高い筐体の開口近傍にて万一作業者が薬品等をこぼした場合であっても、薬品等が排気孔から保管庫の内部に侵入することを防止することができる。
【００１２】
第３の発明は、上記第２の発明において、筐体の内部に上下方向に配列された複数の載置板を備え、上下方向にて、最下部の上記載置板よりも下方に少なくとも上記排気孔の一部領域が位置するように上記排気孔が配置されているという構成を採用する。
【００１３】
本発明によれば、保管庫の上部から下部に向けて流れる空気の少なくとも一部が、最下部に配置された載置板よりも下方を通過して排気孔から排出される。このため、筐体の内部の下方に滞留する有機溶剤の蒸気をより確実に排気孔から排出することが可能となる。
【００１４】
第４の発明は、上記第１〜第３いずれかの発明において、上記保管庫が、上記外壁として少なくとも側壁及び背壁を有すると共に正面側が開口された中空の筐体と、上記筐体に対してスライド可能に収容されると共に上記筐体の開口を開閉可能とする抽斗あるいは上記筐体に接続され上記筐体の開口を開閉可能な扉とを備え、上記側壁に上記吸気孔が設けられているという構成を採用する。
【００１５】
本発明によれば、抽斗が出し入れされるあるいは扉の開閉がされる筐体の正面側を回避した位置に吸気孔が設けられている。このため、使用頻度が高い筐体の開口近傍にて万一作業者が薬品等をこぼした場合であっても、薬品等が吸気孔から保管庫の内部に侵入することを防止することができる。
【００１６】
第５の発明は、上記第４の発明において、筐体の内部に上下方向に配列された複数の載置板を備え、上下方向にて、最上部の上記載置板よりも上方に少なくとも上記吸気孔の一部領域が位置するように上記吸気孔が配置されているという構成を採用する。
【００１７】
本発明によれば、保管庫の上部から下部に向けて流れる空気の少なくとも一部が、最上部に配置された載置板よりも上方から供給される。このため、全ての蒸気をより確実に排気孔が設けられた保管庫の下部に移動させることができる。
【００１８】
第６の発明は、上記第１〜第５いずれかの発明において、上記保管庫が、上記排気ユニットが取付可能な取付部を有するという構成を採用する。
【００１９】
本発明によれば、保管庫に対して排気ユニットが取付可能な取付部が設けられているため、排気ユニットを保管庫に対して容易に着脱することが可能となる。
【００２０】
第７の発明は、上記第１〜第６いずれかの発明において、上記排気ユニットが、上記排気孔に接続される開口部が設けられた中空の箱部と、上記箱部に設けられると共に排気ダクトが接続可能な接続部とを備えるという構成を採用する。
【００２１】
本発明によれば、箱部に対して排気ダクトが接続可能とされている。このため、複数の保管庫ユニットを並べて設置する場合であっても、排気ダクト同士が干渉することを防止することができ、保管庫ユニットを密に配列することが可能となる。
【００２２】
第８の発明は、上記第７の発明において、上記箱部の上面と上記保管庫の上面とが同一高さに配置されているという構成を採用する。
【００２３】
本発明によれば、保管庫と排気ユニットとの一体性を向上し、設置後に保管庫の後方に目視が困難なデッドスペースが発生することを防止することが可能となり、保管庫の後方に埃等が堆積することを防止することができる。また、保管庫の天板面と排気ユニットの天板面を一体の大きな面として利用が可能となるため、使い勝手が良くなる。
【発明の効果】
【００２４】
本発明によれば、通気が可能な保管庫に対して着脱可能な排気ユニットが接続されている。このため、本発明によれば、揮発性有機溶剤を含む薬液等を保管する場合に有機溶剤の蒸気を外部に安全に排気可能であると共に、揮発性有機溶剤を含まない薬液等を保管する場合の保管効率の低下を防止することが可能となる。
また、保管庫の上部に吸気孔が設けられると共に下部に排気孔が設けられ、さらに吸気孔と排気孔とが保管庫の異なる外壁に設けられているため、保管庫単体であっても、保管庫の内部に、上部から下部に向かい、さらに保管庫の中央部を通過する空気の流れを形成することができる。このため、揮発性有機溶剤を含まない薬液等を保管する場合であって排気ユニットを接続しない場合であっても、保管庫の内部に空気が滞留することが無い。
【図面の簡単な説明】
【００２５】
【図１】本発明の一実施形態における保管庫ユニットを前方から見た斜視図である。
【図２】本発明の一実施形態における保管庫ユニットを前方から見た分解斜視図である。
【図３】本発明の一実施形態における保管庫ユニットを後方から見た分解斜視図である。
【図４】本発明の一実施形態における保管庫ユニットが備える保管庫の抽斗の１つを引き出した状態を示す斜視図である。
【図５】本発明の一実施形態における保管庫ユニットが備える保管庫の筐体の前面図である。
【図６】本発明の一実施形態における保管庫ユニットが備える保管庫の模式的な側面図である。
【発明を実施するための形態】
【００２６】
以下、図面を参照して、本発明に係る保管庫ユニットの一実施形態について説明する。
【００２７】
図１は、本実施形態の保管庫ユニット１を前方から見た斜視図である。また、図２は、図１と同方向から見た本実施形態の保管庫ユニット１の分解斜視図である。また、図３は、後方から見た本実施形態の保管庫ユニット１の分解斜視図である。なお、本実施形態の説明において、保管庫ユニット１に対して薬液瓶等の収容物を出し入れする利用者からの視点に基づいて方向を説明する。つまり、利用者から見て左側を左方向、利用者から見て右側を右方向とする。また、利用者側を前方向、利用者と反対側を後方向とする。
【００２８】
これらの図に示すように、本実施形態の保管庫ユニット１は、保管庫２と、排気ユニット３とを備えている。保管庫２は、薬液を収容する薬液瓶を保管する収容器具である。図４は、保管庫２において右側の抽斗２ｂを引き出した状態を示す斜視図である。図４に示すように、保管庫２は、筐体２ａと、抽斗２ｂと、スライド機構２ｃとを備えている。
【００２９】
図５は、筐体２ａを前方から見た正面図である。図４及び図５に示すように、筐体２ａは、底部２ａ１と、一対の側壁２ａ２と、天壁２ａ３と、後壁２ａ４（背壁）と、仕切壁２ａ５とを備えており、正面側（すなわち前面側）が開口された中空の箱体とされている。
【００３０】
底部２ａ１は、側壁２ａ２、天壁２ａ３、後壁２ａ４、仕切壁２ａ５を下方から直接的あるいは間接的に支持する基台である。側壁２ａ２は、底部２ａ１の左右端の各々に接続して設けられている。天壁２ａ３は、２つの側壁２ａ２の上端同士を接続している。後壁２ａ４は、底部２ａ１の後端と、側壁２ａ２の後端と、天壁２ａ３の後端とを接続する壁である。仕切壁２ａ５は、底部２ａ１、一対の側壁２ａ２  天壁２ａ３、後壁２ａ４によって囲まれた内部空間Ｋ（筐体２ａの収容空間）を左右に二分する壁部であり、２つの側壁２ａ２の間にて底部２ａ１上に立設されている。また、仕切壁２ａ５の上端は、天壁２ａ３に下方から接続されている。
【００３１】
このような筐体２ａを有する保管庫２では、底部２ａ１と、２つの側壁２ａ２（底部２ａ１の左端に配置された側壁２ａ２と、底部２ａ１の右端に配置された側壁２ａ２）と、天壁２ａ３と、後壁２ａ４とが、保管庫２の外部空間に晒された外壁となっている。つまり、保管庫２は、外面の面直方向が異なる方向に向けられた複数の外壁を有している。
【００３２】
また、本実施形態の保管庫ユニット１においては、図１〜図４に示すように、これらの保管庫２の複数の外壁のうち、側壁２ａ２に複数の吸気孔２ａ６が設けられている。各々の吸気孔２ａ６は、上下方向に長い長孔形状とされており、側壁２ａ２を貫通して保管庫２の外部と内部空間Ｋとを接続している。これらの吸気孔２ａ６は、側壁２ａ２の上部（すなわち保管庫２の上部）に配置されており、互いに平行となるように前後方向に等間隔で配列されている。これらの吸気孔２ａ６は、筐体２ａの内部空間Ｋに対して、保管庫２の外部の空気を取り込むための開口として機能する。なお、これらの吸気孔２ａ６は、上下方向において保管庫２の中央位置よりも上方の部位に配置されており、本実施形態においては、抽斗２ｂの後述する複数の載置板２ｂ３のうち最上部に配置された載置板２ｂ３よりも上方に配置されている。
【００３３】
また、本実施形態の保管庫ユニット１においては、図３及び図５に示すように、保管庫２の複数の外壁のうち、後壁２ａ４に複数の排気孔２ａ７が設けられている。つまり、本実施形態の保管庫ユニット１においては、排気孔２ａ７は、吸気孔２ａ６と異なる外壁に対して設けられている。各々の排気孔２ａ７は、上下方向に長い長孔形状（本実施形態においては吸気孔２ａ６と同一形状）とされており、後壁２ａ４を貫通して保管庫２の外部と内部空間Ｋとを接続している。これらの排気孔２ａ７は、後壁２ａ４の下部（すなわち保管庫２の下部）に配置されており、互いに平行となるように左右方向に等間隔で配列されている。これらの排気孔２ａ７は、上下方向において保管庫２の中央位置よりも下方の部位に配置されている。本実施形態においては、各々の排気孔２ａ７の下部の領域は、抽斗２ｂの後述する複数の載置板２ｂ３のうち最下部に配置された載置板２ｂ３よりも下方に配置されている。
【００３４】
また、上述のように、保管庫２の内部空間Ｋは、仕切壁２ａ５によって左右に二分割に区画されている。本実施形態では、図５に示すように、仕切壁２ａ５によって左右に二分割された内部空間Ｋの各々の区画領域に対して、排気孔２ａ７が設けられている。また、各々の区画領域に設けられる排気孔２ａ７の数は同数とされている。
【００３５】
抽斗２ｂは、図４に示すように、仕切壁２ａ５によって左右に二分割された保管庫２の内部空間Ｋの各々の区画領域に対して前後方向にスライド可能に収容されている。各々の抽斗２ｂは、前壁２ｂ１と後壁２ｂ２の間に複数段の載置板２ｂ３が架設されている。各々の載置板２ｂ３の側部には、載置板２ｂ３上に載置した物品の落下を防止する側部壁２ｂ４が設けられている。つまり、各々の抽斗２ｂは、上下方向に配列された複数の載置板２ｂ３を備えている。
【００３６】
スライド機構２ｃは、図４に示すように、筐体２ａの内部空間Ｋに配置されており、側壁２ａ２の内壁面や、仕切壁２ａ５の表面に複数固定されている。これらのスライド機構２ｃは、抽斗２ｂを前後方向にスライド可能に支持している。これらのスライド機構２ｃによって前後方向にスライド可能とされた抽斗２ｂが最も後方に配置されると、抽斗２ｂの前壁２ｂ１が筐体２ａの開口を閉鎖し、前壁２ｂ１を除いた部位が筐体２ａの内部空間Ｋに収容される。
【００３７】
図６は、抽斗２ｂと、吸気孔２ａ６と、排気孔２ａ７との位置関係を説明するための筐体２ａの模式的な側面図である。図６に示すように、吸気孔２ａ６は、抽斗２ｂが備える複数の載置板２ｂ３のうち最上部に配置された載置板２ｂ３よりも上方に配置されている。本実施形態においては、各々の吸気孔２ａ６における全領域が最上部に配置された載置板２ｂ３よりも上方に配置されている。また、排気孔２ａ７は、上部の領域が抽斗２ｂの複数の載置板２ｂ３のうち最下部に配置された載置板２ｂ３よりも上方に配置されており、下部の領域が抽斗２ｂの複数の載置板２ｂ３のうち最下部に配置された載置板２ｂ３よりも下方に配置されている。このため、本実施形態においては、複数の載置板２ｂ３のうち最上部に配置された載置板２ｂ３よりも上方から空気が筐体２ａの内部空間Ｋに流入される。また、複数の載置板２ｂ３のうち最上部に配置された載置板２ｂ３よりも下方の領域からも、排気孔２ａ７を通じて、筐体２ａの内部空間Ｋの内気が筐体２ａの外部に流出可能となっている。
【００３８】
このような保管庫２は、抽斗２ｂの載置板２ｂ３上に複数の物品を載置可能とされており、例えば薬液が収容された薬液瓶等が抽斗２ｂに載置板２ｂ３に載置される。このように薬液瓶等が載置された抽斗２ｂが筐体２ａの開口を閉じるように後方にスライドされることによって、薬液瓶等が保管庫２の内部に保管された状態となる。
【００３９】
排気ユニット３は、図２及び図３に示すように、箱部３ａと、接続筒部３ｂ（接続部）と、固定リング３ｃと、複数の固定ネジ３ｄとを備えている。箱部３ａは、底板部３ａ１と、前板部３ａ２と、側板部３ａ３と、後板部３ａ４と、天板部３ａ５（上壁）とを有した中空の箱体である。底板部３ａ１は、箱部３ａの底部を形成する部位である。側板部３ａ３は、底板部３ａ１の左右方向の端部の各々に接続されている。後板部３ａ４は、底板部３ａ１の後端に立設された部位であり、各々の側板部３ａ３の後端に接続されている。天板部３ａ５は、前板部３ａ２の上端と、側板部３ａ３の上端と、後板部３ａ４の上端とに接続されている。天板部３ａ５の上面は、筐体２ａの上面と同じ高さに設定されており、これによって箱部３ａの上面と筐体２ａの上面とが面一とされている。
【００４０】
このような箱部３ａは、前板部３ａ２に対して大きく形成された開口部３ａ６と、天板部３ａ５の中央部に設けられた丸孔３ａ７とを有している。開口部３ａ６は、上下方向において底板部３ａ１から天板部３ａ５に至るまで設けられており、箱部３ａが保管庫２に装着されることによって、保管庫２の排気孔２ａ７に接続される。丸孔３ａ７は、上下方向に天板部３ａ５を貫通しており、箱部３ａ内の気体を箱部３ａの上方に排出可能とされている。
【００４１】
接続筒部３ｂは、箱部３ａの天板部３ａ５に対して上方から接続される筒状の部位であり、内部空間が天板部３ａ５に形成された丸孔３ａ７に対して接続されている。この接続筒部３ｂは、図１に示すように、外部の排気ダクトＴに対して接続可能とされた部位である。排気ダクトＴは、外部の不図示の排気ファン等に接続されている。このような排気ダクトＴを介して負圧が排気ユニット３に供給されると、排気ユニット３の内部が大気圧よりも負圧となる。この結果、保管庫２の内部の空気が排気孔２ａ７から排出されると共に外部の空気が吸気孔２ａ６から保管庫２の内部に供給され、保管庫２の内部に上方から下方に向かう空気の流れが形成される。
【００４２】
接続筒部３ｂの下端縁には下面が天板部３ａ５の上面に当接されるフランジが設けられている。固定リング３ｃは、接続筒部３ｂのフランジを天板部３ａ５との間で挟持するようにフランジの上面に当接されるリング状の部材である。固定ネジ３ｄは、固定リング３ｃを天板部３ａ５に締結する。固定リング３ｃが固定ネジ３ｄによって天板部３ａ５に締結されることによって、接続筒部３ｂのフランジが固定リング３ｃと天板部３ａ５との間に挟持され、これによって接続筒部３ｂが天板部３ａ５の上面に対して固定される。
【００４３】
このような排気ユニット３は、保管庫２に対して着脱可能とされている。図３に示すように、保管庫２の筐体２ａの後壁２ａ４には、ネジの軸部を挿通可能な貫通孔２ａ８が複数設けられている。これらの貫通孔２ａ８は、排気ユニット３を保管庫２に装着する場合の取付部として機能する部位であり、排気ユニット３の前板部３ａ２と当接される領域に配置されている。また、図２に示すように、排気ユニット３の前板部３ａ２には、保管庫２の貫通孔２ａ８に対向する位置に、ネジが螺合可能とされたネジ穴３ａ８が設けられている。排気ユニット３を保管庫２に対して装着する場合には、抽斗２ｂを筐体２ａから抜き出した状態で、筐体２ａと排気ユニット３とを、貫通孔２ａ８とネジ穴３ａ８とが突き合わされるように配置する。その後、筐体２ａの内部から不図示のネジを、貫通孔２ａ８を通してネジ穴３ａ８に螺合することによって、保管庫２に対して排気ユニット３が固定される。また、保管庫２から排気ユニット３を脱離する場合には、これらの手順と反対の手順を行う。
【００４４】
このような本実施形態の保管庫ユニット１では、排気ダクトＴを介して排気ユニット３に負圧が供給されると、上述のように保管庫２の内部に上方から下方に向かう空気の流れが形成される。そして、保管庫２の内部に空気よりも比重が大きな有機溶剤の蒸気が発生している場合には、有機溶剤の蒸気は、上述の空気の流れによって排気孔２ａ７から保管庫２の外部に排出され、さらに排気ユニット３に案内されて排気ダクトＴへと吸引される。
【００４５】
以上のような本実施形態の保管庫ユニット１においては、異なる方向を向いて配置される複数の外壁を有すると共に内部に内部空間Ｋが設けられた保管庫２と、保管庫２に対して着脱可能とされた排気ユニット３とを備え、保管庫２が、保管庫２の上部に配置されると共に筐体２ａの側壁２ａ２に設けられた吸気孔２ａ６と、保管庫２の下部に配置されると共に吸気孔２ａ６が設けられた外壁と異なる外壁である後壁２ａ４に設けられた排気孔２ａ７とを有し、排気ユニット３が、排気孔２ａ７に接続可能に保管庫２に対して着脱可能とされている。
【００４６】
このような本実施形態の保管庫ユニット１によれば、保管庫２の内部に、上部から下部に向かい、さらに保管庫２の中央部を通過する空気の流れを形成することができる。また、保管庫２に対して着脱可能とされた排気ユニット３が備えられている。このため、本実施形態の保管庫ユニット１によれば、上述の筐体２ａ内部の空気の流れに乗せて、空気よりも比重が大きな有機溶剤の蒸気を保管庫２の外部に排出し、さらに保管庫２から排出された有機溶剤の蒸気を排気ユニット３で予め定められた経路で案内することができる。したがって、本実施形態の保管庫ユニット１によれば、揮発性有機溶剤を含む薬液等を保管する場合に有機溶剤の蒸気を外部に安全に排気することができる。
【００４７】
さらに、本実施形態の保管庫ユニット１によれば、排気ユニット３が保管庫２に対して着脱可能とされている。このため、揮発性有機溶剤を含まない薬液等を保管する場合には、排気ユニット３を取り外して保管庫２のみを使用することができ、排気ユニット３によってデッドスペースが生じることを防止できる。
【００４８】
したがって、本実施形態の保管庫ユニット１によれば、揮発性有機溶剤を含む薬液等を保管する場合に有機溶剤の蒸気を外部に安全に排気可能であると共に、揮発性有機溶剤を含まない薬液等を保管する場合の保管効率の低下を防止することが可能となる。
【００４９】
また、本実施形態の保管庫ユニット１においては、保管庫２が、外壁として側壁２ａ２及び後壁２ａ４を有すると共に前面側が開口された中空の筐体２ａと、筐体２ａに対してスライド可能に収容されると共に筐体２ａの開口を開閉可能とする抽斗２ｂとを備え、側壁２ａ２に吸気孔２ａ６が設けられている。このため、抽斗２ｂの手前にて万一作業者が薬品等をこぼした場合であっても、薬品等が吸気孔２ａ６から保管庫２の内部に侵入することを防止することができる。
【００５０】
また、本実施形態の保管庫ユニット１においては、抽斗２ｂが、上下方向に配列された複数の載置板２ｂ３を備え、上下方向にて、最上部の載置板２ｂ３よりも上方に吸気孔２ａ６が配置されている。このため、載置板２ｂ３上の全ての有機溶剤の蒸気をより確実に排気孔２ａ７が設けられた保管庫２の下部に移動させることができる。
【００５１】
また、本実施形態の保管庫ユニット１においては、保管庫２が、側壁２ａ２及び後壁２ａ４を有すると共に前面側が開口された中空の筐体２ａと、筐体２ａに対してスライド可能に収容されると共に筐体２ａの開口を開閉可能とする抽斗２ｂとを備え、後壁２ａ４に排気孔２ａ７が設けられている。このため、抽斗２ｂの手前にて万一作業者が薬品等をこぼした場合であっても、薬品等が排気孔２ａ７から保管庫２の内部に侵入することを防止することができる。
【００５２】
また、本実施形態の保管庫ユニット１においては、抽斗２ｂが、上下方向に配列された複数の載置板２ｂ３を備え、上下方向にて、最下部の載置板２ｂ３よりも下方に排気孔２ａ７の一部領域が位置するように排気孔２ａ７が配置されている。このため、保管庫２の上部から下部に向けて流れる空気の少なくとも一部が、最下部に配置された載置板２ｂ３よりも下方を通過して排気孔２ａ７から排出され、抽斗２ｂの下方に滞留する有機溶剤の蒸気をより確実に排気孔２ａ７から排出することが可能となる。
【００５３】
また、本実施形態の保管庫ユニット１においては、保管庫２が、排気ユニット３が取付可能な貫通孔２ａ８を有している。このため、排気ユニット３を保管庫２に対して容易に着脱することが可能となる。
【００５４】
また、本実施形態の保管庫ユニット１においては、排気ユニット３が、排気孔２ａ７に接続される開口部が設けられた中空の箱部３ａと、箱部３ａの上壁に設けられると共に排気ダクトＴが接続可能な接続筒部３ｂとを備えている。このため、複数の保管庫２ユニットを並べて設置する場合であっても、排気ダクトＴ同士が干渉することを防止することができ、保管庫２ユニットを密に配列することが可能となる。
【００５５】
また、本実施形態の保管庫ユニット１においては、箱部３ａの上面と保管庫２の上面とが同一高さに配置されている。このため、保管庫２と排気ユニット３との一体性を向上し、設置後に保管庫２の後方に目視が困難なデッドスペースが発生することを防止することが可能となり、保管庫２の後方に埃等が堆積することを防止することができる。また、保管庫の天板面と排気ユニットの天板面を一体の大きな面として利用が可能となるため、使い勝手が良くなる。
【００５６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５７】
例えば、上記実施形態においては、吸気孔２ａ６が側壁２ａ２に設けられ、排気孔２ａ７が設けられた構成について説明した。しかしながら、本発明はこれに限定されるものではなく、筐体２ａの異なる外壁に吸気孔と排気孔が設けられていれば良い。例えば、一方の側壁２ａ２に吸気孔を設け、他方の側壁２ａ２に排気孔を設ける構成を採用することもできる。また、後壁２ａ４に吸気孔を設け、側壁に排気孔を設ける構成を採用することも可能である。
【００５８】
なお、本発明においては、筐体２ａの同一の外壁に対して吸気孔２ａ６と排気孔２ａ７との両方が設けられた構成を全て除外するものではない。例えば、上記実施形態の保管庫２の側壁に２ａ２に対して、さらに排気孔を設ける構成を採用することも可能である。つまり、筐体２ａの異なる外壁に吸気孔と排気孔が設けられた上で、さらに既に吸気孔が設けられた外壁に対して排気孔を追加形成したり、既に排気孔が設けられた外壁に対して吸気孔を追加形成したりすることも可能である。
【００５９】
また、上記実施形態においては、保管庫２の筐体２ａに対して吸気孔２ａ６や排気孔２ａ７が設けられる構成について説明した。しかしながら、本発明はこれに限定されるものではなく、筐体２ａ以外の保管庫２の外壁を形成する部位に吸気孔や排気孔を設ける構成を採用することも可能である。例えば、上記実施形態の抽斗２ｂの前壁２ｂ１に対して吸気孔や排気孔を設ける構成を採用することも可能である。
【００６０】
また、上記実施形態においては、最上部の載置板２ｂ３よりも上方に吸気孔２ａ６が配置された構成について説明した。しかしながら、本発明はこれに限定されるものではなく、最上部の載置板２ｂ３よりも下方に吸気孔が配置される構成を採用することも可能である。また、吸気孔の一部領域のみを最上部の載置板２ｂ３よりも上方に配置する構成を採用することも可能である。
【００６１】
また、上記実施形態においては、最下部の載置板２ｂ３よりも下方に排気孔２ａ７の一部領域が位置するように排気孔２ａ７が配置された構成について説明した。しかしながら、本発明はこれに限定されるものではなく、最下部の載置板２ｂ３よりも上方に排気孔が配置される構成を採用することも可能である。また、排気孔の全領域が最下部の載置板２ｂ３よりも下方に配置された構成を採用することも可能である。
【００６２】
また、上記実施形態において、保管庫２に貫通孔２ａ８を設けずに、別体の締結機構等を用いて保管庫２と排気ユニット３とを着脱可能とする構成を採用することも可能である。また、保管庫２に予め貫通孔を設けておかず、貫通孔２ａ８を設けたい箇所にハーフパンチ部を形成しておき、排気ユニット３を接続する直前にハーフパンチ部を打ち抜いて貫通孔２ａ８を形成することも可能である。また、上記実施形態において、排気ユニット３に対して排気ダクトＴを接続可能な構成とせず、排気ユニットと排気ダクトとが一体化された構成を採用することも可能である。さらに、上記実施形態において、箱部３ａの上面と保管庫２の上面とが異なる高さに配置されているという構成を採用することも可能である。
【００６３】
また、上記実施形態において、保管庫２と排気ユニット３との間にパッキンを介装することも可能である。このようにパッキンを介装することによって、例えば排気ファンが停止されている間に、保管庫２と排気ユニット３との隙間から有機溶剤の蒸気が漏出することをより確実に防止することができる。このようなパッキンは、開口部３ａ６を左右方向から挟み込むように前板部３ａ２に固定されていても良いし、開口部３ａ６を囲うように前板部３ａ２、底板部３ａ１の前側端面、及び、天板部３ａ５の前側端面に固定されていても良い。また、同様の形状にて、保管庫２の後壁２ｂ２にパッキンを固定するようにしても良い。
また、上記実施形態において、保管庫２は必ずしも抽斗を備えている必要は無く、前面に扉を備え、内部に薬液を載置可能な棚を備えていても良い。
また、上記実施形態において、排気ユニット３は必ずしも接続筒部３ｂを箱部３ａの上壁に備える必要は無く、後壁あるいは横壁に備えていても良い。
【符号の説明】
【００６４】
１……保管庫ユニット、２……保管庫、２ａ……筐体、２ａ１……底部（外壁）、２ａ２……側壁（外壁）、２ａ３……天壁（外壁）、２ａ４……後壁（外壁）、２ａ５……仕切壁、２ａ６……吸気孔、２ａ７……排気孔、２ａ８……貫通孔（取付部）、２ｂ……抽斗、２ｂ１……前壁（外壁）、２ｂ２……後壁、２ｂ３……載置板、２ｂ４……側部壁、２ｃ……スライド機構、３……排気ユニット、３ａ……箱部、３ａ６……開口部、３ｂ……接続筒部（接続部）、Ｋ……内部空間（収容空間）、Ｔ……排気ダクト
【図１】
2020069102.tif 000003
【図２】
2020069102.tif 000004
【図３】
2020069102.tif 000005
【図４】
2020069102.tif 000006
【図５】
2020069102.tif 000007
【図６】
2020069102.tif 000008